(57)【要約】      （修正有）【課題】各施設の種別等に対応して行なうべきＴｏＤｏ項目が在ること又はその内容を日常の中で自然にユーザーに知らせることができるＴｏＤｏ項目報知システムを提供する。【解決手段】各施設の種別、種類、分類もしくはカテゴリーを無線で発信する発信手段と、ＴｏＤｏ項目を各施設の種別等と対応付けて記録しておくＴｏＤｏ記録手段と、前記発信手段から発信された前記各施設の種別等を受信する受信手段と、前記受信した前記各施設の種別等に基づいて、前記ＴｏＤｏ記録手段から、前記各施設の種別等に対応するＴｏＤｏ項目を抽出するＴｏＤｏ抽出手段と、前記抽出等されたＴｏＤｏ項目が存在すること又はその内容をユーザーに出力するＴｏＤｏ出力手段と、を備えたシステムである。【選択図】図１
2012048451.tif 000002
【特許請求の範囲】
【請求項１】
各施設に若しくは各施設内の各領域にそれぞれ設置され、前記各施設の若しくは前記各領域の種別、種類、分類もしくはカテゴリーを示すデータ（以下「種別、種類、分類もしくはカテゴリーを示すデータ」を「施設種別等データ」という）を近距離無線により発信する施設種別等発信手段と、
各ユーザーが携帯もしくは身体に装着するユーザー端末側に、又は前記ユーザー端末側とネットワークを介して接続可能なサーバー側に備えられ、前記ユーザーのＴｏＤｏ項目もしくは必要行動を、各施設もしくは各領域の施設種別等データと対応付けて記録しておくＴｏＤｏ記録手段と、
各ユーザーが携帯もしくは身体に装着するユーザー端末側に備えられ、前記施設種別等発信手段から発信された前記各施設もしくは各領域の施設種別等データを受信する施設種別等受信手段と、
各ユーザーが携帯もしくは身体に装着するユーザー端末側に、又は前記ユーザー端末側とネットワークを介して接続可能なサーバー側に備えられ、前記施設種別等受信手段が受信した前記各施設もしくは各領域の施設種別等データに基づいて、前記ＴｏＤｏ記録手段から、前記各施設もしくは各領域の種別等に対応するユーザーのＴｏＤｏ項目もしくは必要行動を抽出または検索するためのＴｏＤｏ抽出手段と、
各ユーザーが携帯もしくは身体に装着するユーザー端末側に備えられ、前記ＴｏＤｏ抽出手段により抽出等された前記各施設もしくは各領域の種別等に対応するユーザーのＴｏＤｏ項目もしくは必要行動が存在すること又はその内容を、ユーザー側に出力するＴｏＤｏ出力手段と、
を備えた、ことを特徴とするＴｏＤｏ項目報知システム。
【請求項２】
請求項１において、
前記施設種別等発信手段は、前記各施設もしくは各領域の施設種別等データ、又はユーザー端末の動作もしくは電源の状態の設定または変更に関するコードを、近距離無線により発信するものであり、
前記ＴｏＤｏ記録手段は、前記ユーザー端末の動作もしくは電源の状態に関する指示内容を、前記各施設もしくは各領域の施設種別等データ、又はユーザー端末の動作もしくは電源の状態の設定または変更に関するコードと、対応付けて記録しておくものであり、
前記施設種別等受信手段は、前記施設種別等発信手段から発信された、前記各施設もしくは各領域の施設種別等データ、又はユーザー端末の動作もしくは電源の状態の設定または変更に関するコードを、受信するものであり、
各ユーザーが携帯もしくは身体に装着するユーザー端末側または前記ユーザー端末側とネットワークを介して接続可能なサーバー側に備えられ、前記施設種別等受信手段が受信した前記各施設もしくは各領域の施設種別等データ又はユーザー端末の動作もしくは電源の状態の設定または変更に関するコードに基づいて、前記ＴｏＤｏ記録手段から、前記の施設種別等データもしくはコードに対応する前記ユーザー端末の動作もしくは電源の状態の設定または変更に関する指示内容を、抽出または検索するための指示内容抽出手段と、
各ユーザーが携帯もしくは身体に装着するユーザー端末側に備えられ、前記指示内容抽出手段により抽出等された指示内容に基づいて、前記ユーザー端末の動作もしくは電源の状態を設定または変更する端末動作等変更手段と、
を備えた、ことを特徴とするＴｏＤｏ項目報知システム。
【発明の詳細な説明】
【技術分野】
【０００１】
本発明は、ユーザーにＴｏＤｏ項目（必要行動）を報知するためのシステムに関する。
【背景技術】
【０００２】
本発明者が知る限りでは、従来は、ユーザーがその中に居るか若しくはその近くに居る施設の種別等に対応したユーザーのＴｏＤｏ項目（必要行動）をユーザーの日常生活の中で自然にユーザーに対して報知するというシステムは存在していない。確かに、ＴｏＤｏ項目に関しては、その入力に際して必要な項目の漏れがないようにユーザーを支援するシステムなどは提案されている（例えば特許文献１参照）。
【先行技術文献】
【特許文献】
【０００３】
【特許文献１】特開２００９−９９１１６号公報
【発明の概要】
【発明が解決しようとする課題】
【０００４】
しかしながら、上記特許文献１のシステムは、ユーザーがその中に居るか若しくはその近くに居る施設の中などでやるべきＴｏＤｏ項目（必要行動）を日常の中で自然にユーザーに知らせる、というような機能を有するものではない。
【０００５】
本発明はこのような従来技術の課題に着目してなされたものであって、ユーザーがその中に居るか若しくはその近くに居る各施設もしくはその施設内の各領域の種別等に対応して行なうべきＴｏＤｏ項目（必要行動）が在ること又はその内容を日常の中で自然にユーザーに知らせることができるＴｏＤｏ項目報知システムを提供することを目的とする。また、本発明は、さらに、ユーザー端末の動作もしくは電源のＯＮ／ＯＦＦなどに関するユーザー端末の設定や変更を日常の中でユーザーがその中に居るか若しくはその近くに居る各施設もしくはその施設内の各領域の種別等に対応して自動的に行う機能をも備えたＴｏＤｏ項目報知システムを提供することをも目的とする。
【課題を解決するための手段】
【０００６】
以上のような課題を解決するための本発明によるＴｏＤｏ項目報知システムは、各施設に若しくは各施設内の各領域にそれぞれ設置され、前記各施設の若しくは前記各領域の種別、種類、分類もしくはカテゴリーを近距離無線で発信する施設種別等発信手段と、各ユーザーが携帯もしくは身体に装着するユーザー端末側または前記ユーザー端末側とネットワークを介して接続可能なサーバー側に備えられ、前記ユーザーのＴｏＤｏ項目もしくは必要行動を、前記各施設もしくは各施設内の各領域の種別等データと対応付けて記録しておくＴｏＤｏ記録手段と、各ユーザーが携帯もしくは身体に装着するユーザー端末側に備えられ、前記施設種別等発信手段から発信された前記各施設の若しくは前記各領域の種別等データを受信する施設種別等受信手段と、各ユーザーが携帯もしくは身体に装着するユーザー端末側または前記ユーザー端末側とネットワークを介して接続可能なサーバー側に備えられ、前記施設種別等受信手段が受信した前記各施設の若しくは前記各領域の種別等データに基づいて、前記ＴｏＤｏ記録手段から、前記各施設もしくは各領域の種別等に対応するユーザーのＴｏＤｏ項目もしくは必要行動を抽出または検索するためのＴｏＤｏ抽出手段と、各ユーザーが携帯もしくは身体に装着するユーザー端末側に備えられ、前記ＴｏＤｏ抽出手段により抽出等された前記ユーザーのＴｏＤｏ項目もしくは必要行動が存在すること又はその内容を、ユーザーに出力するＴｏＤｏ出力手段と、を備えたことを特徴とするものである。
【０００７】
また、本発明によるＴｏＤｏ項目報知システムにおいては、前記施設種別等発信手段は、前記各施設もしくは各領域の種別等データ又はユーザー端末の動作もしくは電源の状態の設定または変更に関するコードを発信するものであり、前記ＴｏＤｏ記録手段は、前記ユーザー端末の動作もしくは電源のＯＮ／ＯＦＦ等の状態の設定または変更に関する指示内容を、前記各施設もしくは各領域の種別、種類、分類もしくはカテゴリー又はユーザー端末の動作もしくは電源の状態の設定または変更に関するコードと対応付けて記録しておくものであり、前記施設種別等受信手段は、前記施設種別等発信手段から発信された前記各施設もしくは各領域の種別等のデータ又はユーザー端末の動作もしくは電源の状態の設定または変更に関するコードを受信するものであり、各ユーザーが携帯もしくは身体に装着するユーザー端末側または前記ユーザー端末側とネットワークを介して接続可能なサーバー側に備えられ、前記施設種別等受信手段が受信した前記各施設もしくは各領域の種別等のデータ又はユーザー端末の動作もしくは電源の状態の設定または変更に関するコードに基づいて、前記ＴｏＤｏ記録手段から、前記各施設もしくは各領域の種別等のデータ又はユーザー端末の動作もしくは電源の状態の設定または変更に関するコードに対応する前記ユーザー端末の動作もしくは電源の状態の設定または変更に関する指示内容を抽出または検索するための指示内容抽出手段と、各ユーザーが携帯もしくは身体に装着するユーザー端末側に備えられ、前記指示内容抽出手段により抽出等された指示内容に基づいて、前記ユーザー端末の各動作または電源の状態を設定または変更する端末動作等変更手段と、を備えることが望ましい。
【発明の効果】
【０００８】
本発明においては、各施設に若しくは各施設内の各領域にそれぞれ設置された施設種別等発信手段から、前記の各施設もしくはその各領域の種別、種類、分類もしくはカテゴリーのデータを（例えば所定時間毎に）近距離無線で発信するようにしておき、各ユーザーがその各施設もしくはその各領域又はその近くを通りかかるなどしたら、前記施設種別等発信手段から発信された前記各施設もしくは各領域の種別等のデータを受信し、その受信したデータに基づいて、前記各施設もしくは各領域の種別等に対応するＴｏＤｏ項目もしくは必要行動をＴｏＤｏ記録手段から抽出等して、それが存在すること若しくはその内容をユーザー側に出力するようにしている。したがって、本発明によれば、ユーザーがその中に居るか若しくはその近くに居る各施設もしくはその施設内の各領域の種別等に対応してそのユーザーが行なうべきＴｏＤｏ項目（必要行動）を、日常の中で自然にユーザーに知らせることができるようになる。
【０００９】
また、本発明において、さらに、前記ユーザー端末の動作もしくは電源のＯＮ／ＯＦＦ等の状態の設定または変更に関する指示内容を、前記施設種別等発信手段から発信された前記各施設もしくは各領域の施設種別等データ又はユーザー端末の動作（マナーモードへの移行など）もしくは電源のＯＮ／ＯＦＦ等の状態の設定または変更に関するコードと対応付けて予めＴｏＤｏ記録手段に記録しておき、前記の施設種別等発信手段から各施設もしくは各領域の施設種別等データ又はユーザー端末の動作もしくは電源のＯＮ／ＯＦＦ等の状態の設定または変更に関するコードが発信され、前記データ又はコードが施設種別等受信手段により受信されたとき、前記ＴｏＤｏ記録手段から、前記データ又はコードに対応する前記ユーザー端末の動作もしくは電源のＯＮ／ＯＦＦ等の状態の設定または変更に関する指示内容を抽出または検索し、この抽出等された指示内容に基づいて前記制御部が前記ユーザー端末の動作もしくは電源のＯＮ／ＯＦＦ等の状態の設定または変更を行なうようにしたときは、ユーザーが個々的にいちいち端末の操作をしなくても、前記ユーザー端末の動作（マナーモードへの移行など）もしくは電源の状態を、そのユーザーがその中に居るか若しくはその近くに居る各施設もしくは各施設内の各領域の種別等に適したものに、自動的に設定または変更することができる。
【図面の簡単な説明】
【００１０】
【図１】本発明の実施例１によるＴｏＤｏ項目報知システムを説明するための概念ブロック図である。
【図２】本実施例１において施設側の発信機が発信する施設種別等データの構造を説明するための図である。
【図３】図２のレコードヘッダの構造を示す図である。
【図４】図２のレコードデータの構造を示す図である。
【図５】本実施例１において施設側の発信機から送信されるレコードデータを構成する「種別情報」を説明するための図である。
【図６】本実施例１における施設側の発信機から発信される送信データのレコードデータを構成する「簡易種別・状況情報」と本発明の実施例３の動作などを説明するための図である。
【図７】本発明の実施例２によるＴｏＤｏ項目報知システムを説明するための概念ブロック図である。
【図８】本発明の実施例３によるＴｏＤｏ項目報知システムを説明するための概念ブロック図である。
【図９】本発明の実施例４によるＴｏＤｏ項目報知システムを説明するための概念ブロック図である。
【発明を実施するための形態】
【００１１】
本発明の発明を実施するための望ましい形態は以下の実施例１〜４に示すものである。
【実施例１】
【００１２】
図１は本発明の実施例１によるＴｏＤｏ項目報知システムを示す概念ブロック図である。図１において、１は、各施設毎もしくは各施設内の各領域毎に設置されており各施設の又は各施設内の各領域の種別、種類、分類もしくはカテゴリーを示すデータ（以下、「種別、種類、分類もしくはカテゴリーを示すデータ」を「施設種別等データ」ということがある）を、例えばブルートュースやＲＦＩＤなどの近距離無線手段により、周囲に送信する発信機である。前記発信機１は前記施設種別等データを予め記録している記録装置（図示せず）から自らが設置されている施設または領域の施設種別等データを取得し、それを周囲に発信する。前記発信機１は、通常は、直進性が高い周波数の電波を用いる、送信電力をコントロールする、又は電波に指向性を持たせるなどの方法により、所望の範囲内（例えば自らを中心に数〜数十メートルの範囲内）だけに電波が届くように、電波到達範囲を調整するようにしている。
【００１３】
なお、前記発信機１が発信する各施設の施設種別等データ（種別、種類、分類もしくはカテゴリー）としては、例えば、ホテル、レストラン、コンビニエンスストア、私鉄の駅、デパート、病院、飲料の自動販売機、銀行のＡＴＭ（現金自動預け払い機）、商店街、バス停、などがある。また、前記発信機１が発信する各施設内の各領域の施設種別等データ（種別、種類、分類もしくはカテゴリー）としては、例えば、ホテルのロビー、ホテルのエレベーター、私鉄の駅ホーム、私鉄の駅改札口、デパートの駐車場、デパートのトイレ、デパートの食品売り場、病院の外来患者用待合室、病院の入院用病棟、病院の診察室、会社の給湯室、会社の喫煙室、会社の社員食堂などがある。
【００１４】
また、図１において、２は各ユーザーが携帯する携帯電話などの携帯端末、３は前記携帯端末２に内蔵されたＴｏＤｏ記録部である。前記ＴｏＤｏ記録部３は、例えばフラッシュメモリの一部の記憶領域で、前記ユーザーがやるべきＴｏＤｏ項目もしくは必要行動を、各施設の（または各施設内の各領域の）施設種別等データと対応付けて記録しておくためのもの（例えば従来のリレーショナル・データベースかそれに類似したデータ構造で記録されたもの）である。前記ＴｏＤｏ記録部３が記録する各ＴｏＤｏ項目もしくは必要行動とそれらにそれぞれ対応する各施設の（または各施設内の各領域の）施設種別等データとは、好ましくは、ユーザーが予め個々的に入力して記録させる。これらの入力及び記録の内容としては、例えば、「５万円を引き出す」というＴｏＤｏ項目と「銀行のＡＴＭ」という施設の種別とを互いに対応させて記録させる、あるいは、「浄水器フィルタの交換」というＴｏＤｏ項目と「会社の給湯室」という領域の種別とを互いに対応させて記録させる、などがある。
【００１５】
また、図１において、４は、前記携帯端末２に内蔵されており前記各発信機１から発信された各施設または各領域の施設種別等データを受信する受信機、５は前記受信機４、ＴｏＤｏ記録部３、後述のスピーカ６、バイブレータ７、及びディスプレイ８などの出力部、タッチパネルやテンキーなどの入力部などのような前記携帯端末２内の各部を制御するためのＣＰＵなどで構成される制御部である。
【００１６】
本実施例１では、前記制御部５は、前記受信機４が受信した「前記携帯端末２の近傍の発信機１から発信された施設種別等データ」と「前記ＴｏＤｏ記録部３に予め各ＴｏＤｏ項目と対応付けて記録されている施設種別等データ」とを照合して、前記発信機１からの施設種別等データに対応するＴｏＤｏ項目を抽出し、前記ＴｏＤｏ項目を抽出したことを示す信号をスピーカ６及びバイブレータ７に出力すると共に、前記ＴｏＤｏ項目の内容を示すデータをディスプレイ８に出力する（ＴｏＤｏ抽出機能）。例えば、前記制御部５は、前記受信機４が前記携帯端末２の近傍に設置された発信機１から「銀行のＡＴＭ」または「会社の給湯室」などの施設種別等データを受信したときは、その受信された施設種別等データに基づいて、前記ＴｏＤｏ記録部３から、前記発信機１からの各施設種別等データに対応する「５万円を引き出す」または「浄水器フィルタの交換」などのＴｏＤｏ項目を抽出し、ＴｏＤｏ項目が存在していること若しくはその内容を示す情報を、前記出力部に出力する（なお、前記発信機１からの施設種別等データに対応するＴｏＤｏ項目が抽出されないときは、そこで処理を終了する）。
【００１７】
また、図１において、６は、前記制御部５からの信号に基づいて、前記発信機１から発せられた施設種別等データに対応するユーザーのＴｏＤｏ項目が抽出されたことをユーザーに報知するアラーム音を発生させるためのスピーカである。また、７は、前記制御部５からの信号に基づいて、前記発信機１から発せられた施設種別等データに対応するユーザーのＴｏＤｏ項目が抽出されたことをユーザーに報知する振動を発生させるためのバイブレータである。また、８は、前記制御部５からの信号に基づいて、前記制御部５が抽出した前記発信機１からの施設種別等データに対応するユーザーのＴｏＤｏ項目の内容を、画面に表示させてユーザーに知らせるためのディスプレイである。
【００１８】
次に、本実施例１において、前記発信機１が発信し前記受信機４が受信する施設種別等データの構造について、図２以下を参照して説明する。前記発信機１が発する施設種別等データの構造は、図２中の「１．データ構造」に示すように、１つのヘッダと複数のレコードから構成される。また、図２中の「１．１．ヘッダデータ」に示すように、ヘッダデータは、データ全体についての情報を格納するもので、識別子、全データサイズ、レコード数などから構成される。また、図２中の「１．２．レコードデータ」に示すように、各レコードは、レコードヘッダとレコードデータとにより構成される。レコードヘッダのフォーマットは固定であるが、続くレコードデータはレコードヘッダで示される種別毎にフォーマットが異なる。
【００１９】
次に、図３は図２のレコードヘッダの構造を示す図、図４は図２のレコードデータの構造を示す図である。図４に示すように、レコードデータは、レコードヘッダの種別によりフォーマットが異なる。次に、図４を参照して、本実施例１におけるレコードデータの構成について説明する。
（１）最終レコード（エンドマーカー）
本レコードはレコードヘッダのみで構成され、レコードデータを持たない。本レコードは、全データ中に一度だけ、レコード群の最後に必ず記録される。
（２）種別情報
本レコードの格納は必須ではないが、格納される場合は全データ中で一度だけ記録される。
（３）簡易種別・状況情報
本レコードの格納は必須ではない。格納される場合は、全データ中に何回現れてもよい。但し、同一レコードデータ内に同一コードが複数回現れてはいけない。
（４）テキスト
本レコードの格納は必須ではない。格納される場合は全データ中に何回現れてもよい。本レコードは、各施設の解説などの情報をテキストデータで示すものである。
【００２０】
次に、図５は施設側の発信機１から送信されるレコードデータを構成する「種別情報」（前記（２）参照）を説明するための図である。「種別情報」のデータは、大分類から小分類に向かうに従って詳細な内容となる階層構造を持っており、各施設の種別の情報を表すものである。図５において、第１コードは将来の拡張用で、現状では「０」ルート固定として始まる。発信機１は図５のコード列に従い、可能な限り詳細に第ｎコードまでを送信する。例えば都市銀行では、図５の第１〜３コードより、「０−２−１」を送信する。受信する携帯端末２側（受信機側）ではＴｏＤｏ項目や図５のコード列を組み合わせたものを記憶しておき、前記種別等データを受信したときに照合を行う。携帯端末２側（受信機側）に記憶するコード列は必ずしも最長で記録する必要はない。例えば、都市銀行でなくてもどこの金融機関（銀行）でも可能なＴｏＤｏ項目を記録するときは、コード列「０−２」を記憶しておけばよい。同じく、どこの鉄道でも可能なＴｏＤｏ項目を記録するときは、コード列「０−３−１」を記憶する。
【００２１】
前記の制御部５による照合は、発信機１側から発せられるコード列と携帯端末２側（ＴｏＤｏ記録部３）に記録されているコード列について、下記の法則で行う。
１．第１コードから順にコード列の完全一致比較を行う。ただし、比較するコード列長は下記の条件に従う。
２．「発信機側コード列長≧受信機側コード列長」の場合、受信機側コード列長分で照会を行う。
３．「発信機側コード列長＜受信機側コード列長」の場合、照会は行わず「不一致」と見なす。
【００２２】
（例１）
ａ．発信機側「０−１−１」（小売ーコンビニ）
ｂ．受信機側「０−１−２」（デパート・百貨店）
の場合、法則１および２に従い受信機側でコード長で照会を行う。
発信機側と受信機側とで共にコード列長が同じであるので、第１〜第３迄の全コードで照合を行う。
結果、「０−１−１」と「０−１−２」は第３コード以降が一致しないため不一致とみなされる。
（例２）
ａ．発信機側「０−３−１」（運輸−鉄道−公営）
ｂ．受信機側「０−３」（運輸−鉄道）
の場合も、法則１および２に従い受信機側コード長で照会を行う。
このとき、送受信部側コード列長を受信機側コード列長に合わせるため、発信機側コード列は「０−３」の部分だけを用いて照会を行う。
結果、発信機側コード列「０−３−１」と受信機側コード列「０−３−２」とでは、「０−３」の部分が前方一致で合致するため、前記制御部５は、関連付けられているＴｏＤｏ項目の存在及びその内容をユーザーに知らせる。
【００２３】
次に図６は施設側の発信機１から発信される送信データの中のレコードデータを構成する「簡易種別・状況情報」（前記（３）参照）を説明するための図である（なお、この図６は後述の実施例３の説明のためにも使用される）。
【００２４】
本実施例１において、「簡易種別・状況情報」は、前述の「種別情報」だけでは表現できない情報を提供する。データは単独で表され階層構造を持たないが、その施設種別等に適合・合致するコードを複数保持できる。「簡易種別・状況情報」はＡＮＤまたはＯＲ条件で「種別情報」と結合でき、例えば「種別情報のコード：０−２−１」（金融−都市銀行）と「簡易種別・状況情報のコード：１（銀行のＡＴＭ）」をＡＮＤ条件で結合し、「都市銀行のＡＴＭの前に来たら」という条件（ＴｏＤｏ項目と対応する条件）を記録させることが出来る。また、単独で指定することも可能であり、種別情報のコードとしての「３」（給湯室）とＴｏＤｏ項目としての「浄水器フィルタ交換」とを記憶しておけば、ユーザーが給湯室の近傍に来たとき、前記制御部５の照合などにより、自動的に給湯室でやるべきＴｏＤｏ項目（必要行動）をユーザーに知らせることが出来る。
【００２５】
以下に、前記１，２の法則により、前記発信機１からの施設種別等データと前記ＴｏＤｏ記録部３中の施設種別等データとを照合する場合の動作の例を説明する。
（例１）
発信機１側：    「２」（自動販売機）、「１０００」（１Ｆ）
携帯端末２側：  「２」（自動販売機）
の場合は、前記携帯端末２側は単独指定なので法則１に従って照会を行う。結果、前記携帯端末２側（ＴｏＤｏ記録部３）に記録された「２」は前記発信機１側からのデータの中に存在するため、一致となる。
（例２）
発信機１側：    「２」（自動販売機）
携帯端末２側：  「２」（自動販売機）、「１０００」（１Ｆ）、ＡＮＤ条件
の場合は、前記携帯端末２側（受信側）は複数指定なので法則２に従って照会を行う。結果、前記携帯端末２側に記録されている「２」は前記発信機１側からのデータの中に存在するが「１０００」は存在しないため、不一致となる。
（例３）
発信機１側：    「４」（トイレ）、「１０００」（１Ｆ）
携帯端末２側：  「３」（給湯室）、「４」（トイレ）、ＯＲ条件
の場合は、前記携帯端末２側は複数指定なので法則２に従って照会を行う。結果、前記携帯端末２側に記録されている「３」は発信機１側に存在しないが「４」が存在するため、一致となる。
【実施例２】
【００２６】
次に、本発明の実施例２によるＴｏＤｏ項目報知システムを図７の概念ブロック図に基づいて説明する。本実施例２は前記実施例１と基本的部分は同一であるので、以下では異なる部分についてだけ説明する。
【００２７】
前記の実施例１においては各ＴｏＤｏ項目と各施設種別等データとを対応付けて予め記録しておくためのＴｏＤｏ記録部３がユーザー側の携帯端末２に内蔵されていたが、本実施例２では、前述のような各ＴｏＤｏ項目と各施設種別等データとを対応付けて記録するための記憶領域を、ユーザー側の携帯端末２とインターネット２０を介して接続されるサーバー１１側のＴｏＤｏ記録部１３に備えるようにしている。また、前記の本実施例１では施設側の発信機１からの施設種別等データと前記携帯端末２内のＴｏＤｏ記録部３に記録された施設種別等データとを照合して、前記発信機１からの施設種別等データに対応するＴｏＤｏ項目を抽出するＴｏＤｏ抽出機能を前記携帯端末２内の制御部２５が行なうようにしていたが、本実施例２では、このようなＴｏＤｏ抽出機能を、ユーザー側の携帯端末２とインターネット２０を介して接続されるサーバー１１側に備えられたＴｏＤｏ抽出部１６が行なうようにしている。これらの点以外については、本実施例２の構成は前記実施例１と同様である。
【００２８】
次に、本実施例２の動作を、前記実施例１の動作と異なる部分を中心に説明する。本実施例２では、各ユーザーは、予め、自らがやるべき各ＴｏＤｏ項目とそれに対応する各施設もしくは各領域に関する施設種別等データとを、サーバー１１側に、インターネット２０経由で、互いに対応付けて（関連付けて）送信する（例えば各ＴｏＤｏ項目と各施設種別等データとにそれぞれ共通のユーザーＩＤを付加して送信する）。サーバー１１側では、この各ユーザー側から受信した各ユーザーのＴｏＤｏ項目とそれに対応する各施設種別等データとを各ユーザーＩＤと対応付けて前記ＴｏＤｏ記録部１３に記録しておく。
【００２９】
そして、ユーザー側の携帯端末２内の受信機４が前記施設側の発信機１から施設種別等データを受信したときは、前記携帯端末２内の制御部１５は、前記受信機４からの信号を受けて、前記受信された施設種別等データをユーザーＩＤと一緒に（互いに対応付けて）、前記送受信部１７を介して、サーバー１１側へ送信する。サーバー１１側では、前記制御部１５からの施設種別等データ及びユーザーＩＤに基づいて、前記ＴｏＤｏ抽出部１６が、前記ＴｏＤｏ記録部１３に記録されたデータの中から、前記ユーザーＩＤ及び前記発信機１からの施設種別等データに対応するＴｏＤｏ項目を、抽出する。前記サーバー１１側は、前記の抽出されたＴｏＤｏ項目を、インターネット２０経由で前記携帯端末２側に送信する。前記携帯端末２側では、前記送受信部１７が、前記サーバー１１側（ＴｏＤｏ抽出部１６）から送信されたＴｏＤｏ項目を受信する。すると、前記送受信部１７からの信号を受けた前記制御部１５が、ユーザーがその中に居るかその近くに居る各施設またはその施設内の各領域に対応するＴｏＤｏ項目が在ること及びその内容を、前記スピーカ６、バイブレータ７、ディスプレイ８などを制御して出力する。
本実施例２は、以上のように構成され且つ動作するので、本実施例２によっても前記実施例１におけるとほぼ同様の作用効果を奏することができる。
【実施例３】
【００３０】
次に、本発明の実施例３によるＴｏＤｏ項目報知システムを説明する。本実施例３は前記実施例１と基本的構成が同一であるので、以下では前記実施例１と異なる部分を中心に説明し、前記実施例１と同様の部分は説明を省略する。
図８は本実施例３の構成を説明するための概念ブロック図である。図８において、２１は、各施設またはその施設内の各領域に設置された発信機であって、各施設もしくはその中の各領域毎のユーザー端末の動作もしくは電源の状態の設定または変更に関するコード又は施設種別等データを発信する発信機である。また、２３は、ユーザーが携帯する携帯端末２２の動作もしくは電源の状態の設定または変更に関する指示内容を、各施設もしくは各領域毎のユーザー端末の動作もしくは電源の状態の設定または変更に関するコード又は施設種別等データと対応付けて記録しておくＴｏＤｏ記録部である。また、２４は、前記発信機２１から発信された前記各施設もしくは各領域毎のユーザー端末の動作もしくは電源の状態の設定または変更に関するコード又は施設種別等データを受信する受信機である。
【００３１】
また、図１において、２５は前記携帯端末２２の各部所を制御するためのＣＰＵなどで構成される制御部である。前記制御部２５は、前記実施例１と同様の機能、すなわち、前記受信機２４が前記発信機２１から受信した「前記携帯端末２２の近傍に在る発信機２１から発信された施設種別等データ」と「前記ＴｏＤｏ記録部３に予め記録されている各施設種別等データ」とを照合して、前記発信機１からの施設種別等データに対応するユーザーのＴｏＤｏ項目を抽出し、ＴｏＤｏ項目を抽出したことを示す信号をスピーカ６及びバイブレータ７に出力すると共に、抽出したＴｏＤｏ項目の内容をディスプレイ８に出力する。
【００３２】
また、本実施例３において、前記制御部２５は、さらに、前記受信機２４が前記発信機２１から受信した前記各施設もしくは各領域毎の携帯端末２２の動作もしくは電源の状態の設定または変更に関するコード又は施設種別等データに基づいて、前記ＴｏＤｏ記録部２３から、これらに対応する前記携帯端末２２の動作もしくは電源の状態の設定または変更に関する指示内容を抽出または検索し、後述のモード制御部や電源制御部などに対して所定の制御信号を出力する。
【００３３】
また、図８において、２６は前記制御部２５からの制御信号を受けて前記携帯端末２２の動作モードを例えばマナーモードなどの所望のモードに移行・変更もしくは設定するモード制御部、２７は前記制御部２５からの制御信号を受けて前記携帯端末２２の電源をＯＦＦ又はＯＮにするなど電源の状態を変更もしくは設定する電源制御部である。
【００３４】
次に本実施例３の動作を説明する。本実施例３において、例えば、前記受信機２４が、前記発信機２１から、ユーザーがその中または近傍に居る各施設に関する施設種別等データとしての「病院の待合室、電車、または映画館」を受信した場合、前記制御部２５は、前記受信された「病院の待合室、電車、または映画館」と前記ＴｏＤｏ記録部２３に予め記録されている各施設種別等データとを照合する。
そして、（ａ）前記照合の結果、もし、前記ＴｏＤｏ記録部２３に「病院の待合室、電車、または映画館」と一致する各施設種別等データが記録されており、それに対応する指示内容が「端末をマナーモードへ移行」であった場合、前記制御部２５は、「携帯端末２２をマナーモードへ移行」するための制御信号を、前記モード制御部２６に出力する。
あるいは、（ｂ）前記照合の結果、もし、前記ＴｏＤｏ記録部２３に「病院の待合室、電車、または映画館」と一致する各施設種別等データが記録されており、それに対応する指示内容が「端末の電源を切る」であった場合、前記制御部２５は、「携帯端末２２の電源を切る」ための制御信号を、前記電源制御部２７に出力する。
以上に説明した本実施例３の動作（第１の動作）によるときは、前記発信機２１が所定の施設種別等データを発信し且つ前記携帯端末２２側がそれらを受信するだけで、前記携帯端末２２のモードや電源状態が前記の発信された施設種別等に適したモードや電源状態に自動的に設定もしくは変更されるという効果が得られる。
【００３５】
また、本実施例３では、特に、前記発信機２１は、前記施設種別等データと共に（又はこれに代えて）、各ユーザーが保有している携帯端末２２の動作もしくは電源状態の設定または変更に関する１つ若しくは複数のコード（動作もしくは電源状態の設定または変更の指示を示す１つ若しくは複数のコード）を、送信するようにしている。
例えば、（ａ）前記発信機２１が「１０１」（マナーモード推奨）というコード（前記の図６を参照）を定期的に発信するように記録・設定されている場合は、前記「１０１」（マナーモード推奨）というコードが前記受信機２４を介して前記制御部２５に送られ、前記制御部２５は前記「１０１」（マナーモード推奨）というコードと前記ＴｏＤｏ記録部２３に予め記録されている各コードとを照合する。そして、前記照合の結果、もし、前記ＴｏＤｏ記録部２３に予め「１０１」というコードが記録されていて、その記録されている「１０１」というコードに対応する指示内容が「マナーモードへの移行」であった場合、前記制御部２５は、「携帯端末２２をマナーモードへ移行」するための制御信号を、前記モード制御部２６に出力する。
あるいは、（ｂ）前記発信機２１が「１００」（電波ＯＦＦ推奨）というコード（前記の図６を参照）を定期的に発信するように記録・設定されている場合は、前記「１００」（電波ＯＦＦ推奨）というコードが前記受信機２４を介して前記制御部２５に送られ、前記制御部２５は前記「１００」（電波ＯＦＦ推奨）というコードと前記ＴｏＤｏ記録部２３に予め記録されている各コードとを照合する。そして、前記照合の結果、もし、前記ＴｏＤｏ記録部２３に予め「１００」というコードが記録されていて、その記録されている「１００」というコードに対応する指示内容が「電源を切る」であった場合、前記制御部２５は、「携帯端末２２の電源を切る」ための制御信号を、前記電源制御部２７に出力する。
【００３６】
以上に説明した本実施例３の動作（第２の動作）によるときは、前記発信機２１が携帯端末の動作もしくは電源の状態の変更の指示に関する１つ若しくは複数のコードを発信し且つ前記携帯端末２２側がそれを受信するだけで、前記携帯端末２２のモードや電源状態が前記の発信されたコード（もしくは施設種別等データ）に適したモードや電源状態に自動的に設定もしくは変更されるようになるという効果も得られる。
【実施例４】
【００３７】
次に、本発明の実施例４によるＴｏＤｏ項目報知システムを図９の概念ブロック図に基づいて説明する。本実施例４は前記実施例３と基本的部分は同一であるので、以下では異なる部分についてだけ説明する。
【００３８】
前記の実施例３においては各ＴｏＤｏ項目と各施設種別等データまたは携帯端末の動作や電源状態の設定もしくは変更に関するコードとを予め対応付けて記録しておくためのＴｏＤｏ記録部２３がユーザー側の携帯端末２２に内蔵されていたが、本実施例４では、前述のような各ＴｏＤｏ項目と各施設種別等データまたは携帯端末の動作や電源に関するコードとを予め対応付けて記録するための記憶領域を、ユーザー側の携帯端末２２とインターネット２０を介して接続されるサーバー３１側のＴｏＤｏ等記録部３３に備えるようにしている。
【００３９】
また、前記の実施例３においては、前記携帯端末２２内の制御部２５が、施設側の発信機２１からの施設種別等データと前記携帯端末２２内のＴｏＤｏ記録部２３に予め記録されていた施設種別等データとを照合して、前記発信機１からの施設種別等データに対応するＴｏＤｏ項目を抽出する（ＴｏＤｏ抽出機能）と共に、施設側の発信機２１からの施設種別等データまたは携帯端末の動作や電源の状態の設定または変更に関するコードと前記携帯端末２２内のＴｏＤｏ記録部２３に記録された施設種別等データまたは携帯端末の動作や電源の状態の設定または変更に関するコードとを照合して、前記発信機１からの各データまたはコードに対応する携帯端末の動作や電源の状態に関する指示内容を抽出する（指示内容抽出機能）ようにしていたが、本実施例４では、このようなＴｏＤｏ抽出機能及び指示内容抽出機能を、ユーザー側の携帯端末２２とインターネット２０を介して接続されているサーバー３１側に備えらたＴｏＤｏ等抽出部３６が行なうようにしている。上記の点以外については、本実施例４の構成は前記実施例３と同様である。
【００４０】
次に、本実施例４の動作を、前記実施例３の動作と異なる部分を中心に説明する。本実施例４では、各ユーザーは、予め、自らの各ＴｏＤｏ項目とそれに対応する各施設もしくは各領域の施設種別等データとを互いに関連付けてサーバー３１側に送信する。また、各ユーザーは、予め、自らが保有する携帯端末２２の各動作または電源の設定もしくは変更に関する指示内容とそれに対応する各施設もしくは各領域の施設種別等データ又は携帯端末の各動作または電源の状態の設定または変更に関するコードとを、互いに関連付けて（例えばそれぞれに自らのユーザーＩＤを付加して）サーバー３１側に送信する。サーバー３１側では、これらの各ユーザー側から受信した各ユーザーのＴｏＤｏ項目または携帯端末の各部への指示内容とそれに対応する前記各施設種別等データまたはコードとを、各ユーザーＩＤと対応付けて、前記ＴｏＤｏ記録部１３に記録しておく。
【００４１】
そして、ユーザー側の携帯端末２内の受信機２４が前記施設側の発信機２１からの各施設種別等データまたはコードを受信したとき、前記携帯端末２２内の制御部２５は、前記受信機２４からの信号を受けて、前記受信した施設種別等データまたはコードをユーザーＩＤと一緒に（互いに対応付けて）、前記送受信部１７を介して、サーバー３１側へ送信する。サーバー３１側では、前記ＴｏＤｏ等抽出部３６が、前記制御部２５からの施設種別等データまたはコード及びユーザーＩＤに基づいて、前記ＴｏＤｏ等記録部３３に記録されたデータの中から、前記ユーザーＩＤ及び前記施設種別等データまたはコードに対応するＴｏＤｏ項目または端末の動作や電源の状態に関する設定もしくは変更に関する指示内容を、抽出する。前記サーバー３１側は、前記の抽出されたＴｏＤｏ項目または指示内容を、インターネット２０経由で携帯端末２２側に送信する。前記携帯端末２２側では、前記送受信部１７が前記サーバー３１側（ＴｏＤｏ等抽出部３６）から送信されたＴｏＤｏ項目または指示内容（端末の動作や電源の状態に関する設定もしくは変更に関する指示内容）を受信する。すると、前記送受信部１７からの信号を受けた前記制御部２５が、（ａ）ユーザーがその中に居るかその近くに居る施設または施設内の領域に対応するＴｏＤｏ項目が在ること及びその内容を、前記スピーカ６、バイブレータ７、ディスプレイ８などを制御して出力するか、又は、（ｂ）前記施設種別等データまたはコードに対応する携帯端末２２の各動作もしくは電源の状態に関する設定または変更を指示するための制御信号を、前記モード制御部２６または前記電源制御部２７に出力する。本実施例４は、以上のように構成され且つ動作するので、本実施例４によっても前記実施例３におけるとほぼ同様の作用効果を奏することができる。
【００４２】
以上、本発明の各実施例について説明したが、本発明は前記の各実施例として述べたものに限定されるものではなく、様々な修正及び変更が可能である。例えば、前記実施例３〜４においては、携帯端末２２のモード変更の例としてマナーモードへの移行を示しているが本発明ではこれに限られるものではなく、例えば、ユーザーが携帯電話機能とＰＨＳ機能とを共に備えた携帯端末を保有している場合において、施設側の発信機から「病院の診察室」という施設種別等データが発信されたときは、病院内の電子医療機器に障害を与えないＰＨＳモードに自動的に移行させるなど、様々なモード変更が可能であることは勿論である。
【符号の説明】
【００４３】
１，２１             発信機
２，２２             携帯端末
３，１３，２３ ＴｏＤｏ記録部
４，２４             受信機
５，１５，２５ 制御部
６          スピーカ
７          バイブレータ
８          ディスプレイ
１１，３１         サーバー
１６      ＴｏＤｏ抽出部
１７      送受信部
２０      インターネット
２６      モード制御部
２７      電源制御部
３３      ＴｏＤｏ等記録部
３６      ＴｏＤｏ等抽出部
【図１】
2012048451.tif 000003
【図２】
2012048451.tif 000004
【図３】
2012048451.tif 000005
【図４】
2012048451.tif 000006
【図５】
2012048451.tif 000007
【図６】
2012048451.tif 000008
【図７】
2012048451.tif 000009
【図８】
2012048451.tif 000010
【図９】
2012048451.tif 000011